(57)【要約】【課題】ディスクの重複挿入を確実に防止しながら、ディスク挿入阻止部材の突出位置と後退位置の昇降位置切換を確実に行い得ると共に、その保持状態を安定して行い得る。【解決手段】ディスク搬送手段によってディスクが再生可能な位置に搬送されたことをトリガ部材が検出することにより、移動開始するスライドカム部材の移動に連動してディスクを再生可能なクランプ動作を行うように構成し、クランプ状態にある場合はディスク挿入口３００に突出し、ディスクが挿入されていない場合は後退した位置に昇降可能に構成された阻止片３３ａを有するディスク挿入阻止部材３３と、スライドカム部材の移動に連動して阻止片３３ａをディスク挿入口への突出位置と後退位置とにおいてそれぞれ保持可能な手段１１ｄを有する切換機構１１を備え、阻止部材３３は突出位置及び後退位置のそれぞれの状態において相反する方向に対して弾性的に当接可能な構成とした。【選択図】図２４
2012014764.tif 000002
【特許請求の範囲】
【請求項１】
ディスクを装置本体正面の挿入口に挿入してディスクを搬入するようにしたスロットイン方式のディスク搬送装置であって、
挿入されたディスクを保持しながら搬送するディスク搬送手段と、
前記ディスクが再生可能な位置に搬送されたことを検出するトリガ部材と、
前記トリガ部材がディスクを検出することにより当該トリガ部材の作用により移動開始するスライドカム部材と、
前記スライドカム部材の移動に連動して前記ディスクを再生可能なクランプ状態とするためのクランプ機構と、
前記クランプ状態にある場合はディスク挿入口に突出し、ディスクが挿入されていない場合は後退した位置に昇降可能に構成された阻止片を有するディスク挿入阻止部材と、
前記スライドカム部材の移動に連動して前記ディスク挿入阻止部材をディスク挿入口への突出位置と後退位置とにおいてそれぞれ保持可能な手段を有する切換機構を備え、
前記阻止部材は、前記切換機構の姿勢保持手段との連係により突出位置及び後退位置のそれぞれの状態において、装置本体への相反する方向に対して弾性的に当接可能とする弾性手段を構成したディスク搬送装置。
【請求項２】
前記ディスク阻止部材に対する弾性手段は、当該ディスク阻止部材自体又はシャーシに一体成形により形成された弾性片により構成した請求項１に記載のディスク搬送装置。
【請求項３】
前記ディスク挿入口の下部及び上部には、当該挿入口に突出する前記ディスク阻止部材の阻止片が対応する位置に、当該ディスク阻止部材の変形防止用規制部を構成した請求項１又は２に記載のディスク搬送装置。
【請求項４】
前記切換機構は、前記ディスク挿入阻止部材の突出位置と後退位置の姿勢保持手段としてカム部を形成した請求項１〜３に記載のディスク搬送装置。
【請求項５】
前記昇降可能なディスク阻止部材の少なくとも阻止片を形成した側部において、シャーシに一体形成されたガイド部を構成し、昇降動作時のガイドとするように構成した請求項１〜４に記載のディスク搬送装置。
【発明の詳細な説明】
【技術分野】
【０００１】
本発明は、ディスク搬送装置に関し、特に、ディスクを直接挿入してローラで保持しながら搬入するようにしたスロットイン方式において、ディスクの重複挿入を防止することができるディスク搬送装置に関する。
【背景技術】
【０００２】
従来、このようなディスクの重複挿入を防止することができるディスク搬送装置としては、下記のものが知られている。
【０００３】
例えば、ディスクをディスク装置内に自動搬送するディスク搬送が完了した後、２枚目のディスク挿入を防止するシャッター機構を有するものが提案されている（特許文献１参照）。この文献には、「ディスクの供給を阻止する供給口閉鎖手段としてのシャッタ４５７を有し、このシャッタ４５７に対して、２枚目のディスク等によって負荷がかけられたとき、シャッタ４５７を保護するためにシャッタ４５７に当接するシャッタサポート４５９を設けた」内容が開示されている。
【０００４】
また、２枚のディスクが続けて挿入されるときの誤動作を避けるスロットイン型ディスク装置が提案されている（特許文献２参照）。この文献には、「スロットイン型ディスク装置１０の筺体１４に設けられる開口部１５から、ディスク１１を挿入すると、先端１１ａが中央検知手段１２によって検知される。制御手段１７は、搬送ローラ１６を回転させ、ディスク１１を搬入させる。側端１１ｂが側端検知手段１３によって検知され、さらに後端１１ｃが中央検知手段１２によって検知されなくなると、搬送ローラ１６を停止する。ディスク１１が続けて挿入されて、中央検知手段１２が後端１１ｃを検知しないときには、側端検知手段１３によって側端１１ｂの検知が終了する時点で異常と判断し、搬送ローラ１６によるディスク１１の搬入を停止する。」という内容が開示されている。
【先行技術文献】
【特許文献】
【０００５】
【特許文献１】特開２０００−３２２８０２号公報
【特許文献２】特開２００１−３１２８５０号公報
【発明の概要】
【発明が解決しようとする課題】
【０００６】
前述した従来例では、特許文献１のものでは、搬送されたディスの移動動作に連動して、バネで付勢された揺動するシャッタ機構を作動させてディスクの誤挿入を防止するものであるため、シャッタサポートを設ける必要がある等の問題があった。また、特許文献２のものでは、ディスク挿入の検知スイッチとその検知に基づく制御手段が必要であるというものであった。いずれにしても、重複挿入防止のための連動機構や制御回路等の構成が必要であるものであった。
【０００７】
一方、同じディスク装置であっても、ＤＶＤやＢＤといった画像を扱うディスク装置においては、従来のＣＤ等の音楽データのものとは異なり、ハイビジョン画像の再生やダビングといった使用目的のために、高速大容量の転送レートでのデータの受け渡しが必要となっている。そのため、ディスクの回転数は、４０００ｒｐｍ以上という高速駆動が要求され、これに伴うメカニズムの振動発生及び振動音発生の問題を引き起こしており、その対策が要望されている。
【０００８】
そこで、本発明は、上記の問題を解決し、クランプ動作等に連動する構成としながら、ディスクの重複挿入を確実に防止し、ディスク挿入阻止部材の突出位置と後退位置の昇降位置切換と保持を確実に行い得ると共に、その状態で振動音を発生することなく保持を安定して行い得るディスク搬送装置を提供することを目的としてなされたものである。
【課題を解決するための手段】
【０００９】
上記目的を達成するために、本発明のディスク搬送装置は、ディスクを装置本体正面の挿入口に挿入してディスクを搬入するようにしたスロットイン方式のディスク搬送装置であって、挿入されたディスクを保持しながら搬送するディスク搬送手段と、前記ディスクが再生可能な位置に搬送されたことを検出するトリガ部材と、前記トリガ部材がディスクを検出することにより当該トリガ部材の作用により移動開始するスライドカム部材と、前記スライドカム部材の移動に連動して前記ディスクを再生可能なクランプ状態とするためのクランプ機構と、前記クランプ状態にある場合はディスク挿入口に突出し、ディスクが挿入されていない場合は後退した位置に昇降可能に構成された阻止片を有するディスク挿入阻止部材と、前記スライドカム部材の移動に連動して前記ディスク挿入阻止部材をディスク挿入口への突出位置と後退位置とにおいてそれぞれ保持可能な手段を有する切換機構を備え、前記阻止部材は、前記切換機構の姿勢保持手段との連係により突出位置及び後退位置のそれぞれの状態において、装置本体への相反する方向に対して弾性的に当接可能とする弾性手段を構成したものである。
【００１０】
これにより、ディスクを直接挿入してローラで保持しながら搬入するようにしたスロットイン方式において、ディスクの重複挿入の防止を、ディスクを再生可能な位置に搬送されたことを検出することにより行うディスクのクランプ動作に連動して、ディスク挿入阻止部材の昇降切換を行うので、ディスクが装着された場合の重複挿入の阻止を確実に行い得るものであり、そのディスク挿入阻止部材の突出位置と後退位置の昇降位置は切換機構により保持され、かつその状態は弾性的に保持されるため、高速駆動に対しても振動音が発生することなく保持できるディスク搬送装置が得られる。
【発明の効果】
【００１１】
上記の構成によれば、ディスクの重複挿入を確実に防止しながら、ディスク挿入阻止部材の突出位置と後退位置の昇降位置切換を確実に行い得ると共に、その保持を振動音が発生することなく、安定して行いうるディスク搬送装置を提供できる。
【図面の簡単な説明】
【００１２】
【図１】実施の形態１にかかるディスク搬送装置のディスク装置本体とこれに挿入されるディスクを示す外観斜視図
【図２】同ディスク装置全体を構成する部品を一部ユニット化して示す分解斜視図
【図３】同筐体及び一部の構成部分を除いた各構成部品をメカシャーシに取り付けた状態の上面図
【図４】同両筐体を取り除いた状態におけるディスクを挿入直後の上面図
【図５】同状態におけるディスク搬入の搬送途中段階の上面図
【図６】同状態におけるディスクを再生可能な位置まで搬入した上面図
【図７】同ディスクがトリガ部材の検出部に当接して回動しスライドカムの係合部に当接した瞬間の状態の説明図
【図８】同ディスクが再生可能な位置まで搬入された状態の説明図
【図９】同ローラアームとリンクアームの上面図
【図１０】（ａ）同ローラベースとリンクアームを含むローラアームが閉じた状態の下面図、（ｂ）同ローラアームが開いた状態の下面図
【図１１】（ａ）同挿入されるディスクの上側をガイドする上ガイドを示す斜視図、（ｂ）同挿入されるディスクの下側をガイドするローラベースを示す斜視図
【図１２】（ａ）同ディスク装置にディスクを挿入する前の正面図、（ｂ）同装置にディスクを挿入して挿入口にディスク挿入阻止部材が突出した状態の正面図
【図１３】（ａ）同ターンテーブルの下降状態のスライドカムとの関係を示す右方向斜視図、（ｂ）同左方向斜視図
【図１４】同ターンテーブルの下降状態のスライドカムとリンクアームとの関係を示す上面図
【図１５】（ａ）同ターンテーブルの上昇状態のスライドカムとの関係を示す右方向斜視図、（ｂ）同左方向斜視図
【図１６】同ターンテーブルの上昇状態のスライドカムとリンクアームとの関係を示す上面図
【図１７】同ターンテーブルの下降状態のスライドカムとリンクアーム及びクラッチプレートの関係を示す下面図
【図１８】同ターンテーブルの上昇状態のスライドカムとリンクアーム及びクラッチプレートの関係を示す下面図
【図１９】同クラッチプレートの斜視図
【図２０】（ａ）同ディスク挿入阻止部材が下降状態にあるクラッチプレートとの関係を示す説明図、（ｂ）同ディスク挿入阻止部材が上昇状態にある説明図
【図２１】同モータの駆動力をギア列を介して駆動ローラ側伝達する状態を示す説明図
【図２２】同駆動力の伝達をラック側に切り換えた状態を示す説明図
【図２３】同駆動力のラック側への伝達が停止された状態を示す説明図
【図２４】（ａ）同ディスク挿入阻止部材がディスクの挿入口に突出していない状態の断面図、（ｂ）同ディスク挿入阻止部材がディスクの挿入口に突出した状態の断面図
【図２５】同筐体及び一部の構成部分を除いた各構成部品をメカシャーシに取り付けた状態における部分拡大上面図
【発明を実施するための形態】
【００１３】
（実施の形態１）
以下、本発明のディスク搬送装置の実施形態１について、図面に基づいて詳細に説明する。図１は本発明のディスク搬送装置を有するディスク装置本体とこれに挿入されるディスクを示す外観斜視図、図２はディスク装置全体を構成する部品を一部ユニット化して示す分解斜視図である。ここで、図１では水平配置された例を示し、図２では水平配置の分解斜視図としたが、当該装置自体は縦・横配置のどちらにも対応できるものであり、以下は、便宜上、「左右」、「上下」や「昇降」等の表現で説明する。
【００１４】
図１において、１は装置本体を構成する上カバーとしての第１の筐体、２は同下カバーとしての第２の筐体であり、両筐体１，２で構成される装置本体の正面にディスクの挿入口となる開口部１ａを設け、その開口部１ａは防塵カバー３により塞がれる構成となっている。この図１に示すように、開口部１ａにおいて、防塵カバー３を弾性変形させながらディスク１００を直接挿入することにより、このディスク１００は、内部に構成されたディスク搬送装置の作用で、記録再生可能な所定の位置まで搬送される。ここで、図示するディスク１００は大径ディスクである１２ｃｍディスク、ディスク２００は小径ディスクである８ｃｍディスクを示している。
【００１５】
図２に示すように、ディスク装置全体としては、前述した筐体１，２の内部に有するディスク回転駆動・再生装置及びディスク搬送装置と、これらに関連する機構部品が構成されている。防塵カバー３は、第１の筐体１の開口部１ａを塞ぐようにその内側に配置され、この防塵カバー３は、フェルト等の弾性材シート３ａを備え、そのほぼ中央部にディスク１００を挿入し通過させるためのスリット３ｂが形成されている。防塵カバー３の装置内側に対向する位置には、挿入されるディスク１００（２００）の上側をガイドする上ガイド４と下側をガイドするローラベース５のガイド部５ａが設けられている。ローラベース５は、挿入されたディスク１００（２００）を装置内部に搬送するガイド及び駆動力伝達手段となるゴムローラ６ａ〜６ｄを有する一対のローラアーム７ａ，７ｂを、回動自在に保持している。右側の一対のゴムローラ６ａ，６ｂはローラアーム７ａに回動自在に設けられており、左側の一対のゴムローラ６ｃ，６ｄはローラアーム７ｂに固定されている。そして、回動自在なゴムローラ６ａ，６ｂに一体に設けたローラギア６ｅ，６ｆに対し、ローラアーム７ａに設けたギア８ａ〜８ｃよりなるギア列８を介して、駆動源のモータ９の駆動力が伝達される。その駆動力は、モータ９の駆動力をウォームギア９ａ及びギア１０ａ〜１０ｅよりなるギア列１０を介し、ギア１０ａからギア８ｃに伝達され、かつその伝達はクラッチプレート１１の回動によりギア１０ｂと１０ｃの噛み合いが切り離されることにより切り換えられるようになっている。その際、モータ９の駆動力は、ギア１０ｄからギア１０ｆのみへの伝達となり、ギア１０ｆと一体に形成されたピニオン１０ｇを介し、後述するスライドカム１６を駆動するようになっている。このような搬送装置は、メカシャーシ１２に、必要に応じて回動自在又は摺動可能に保持構成されている。
【００１６】
また、図２に示すように、ディスク装置は、スピンドルモータを一体に構成してディスク１００（２００）を載置するターンテーブル１３と、光ピックアップ１４を有るトラバース１５を備えている。そして、このトラバース１５は、昇降可能な構成とすると共に、フローティング支持されており、挿入されたディスクを装着してその再生を行うことができるようになっている。
【００１７】
１６はメカシャーシ１２の右側に摺動自在に設けられたスライドカムであり、メカシャーシ１２の下部に回動自在に支持されたリンクアーム１７を介して、メカシャーシ１２の左側に摺動自在に設けられたスライドカム１８と連結されており、スライドカム１６とスライドカム１８が同期して相互に逆方向に摺動するように構成されている。１９はトラバース１５の一方を支持する中間シャーシであり、メカシャーシ１２にピン１９ａ，１９ｂで回動自在に設けると共に、スライドカム１６，１８に形成した昇降カム（後述する）と係合するピン１９ｃ，１９ｄが設けられている。この構成により、スライドカム１６，１８をスライドすることによって、中間シャーシ１９を、ピン１９ａ，１９ｂを中心としてピン１９ｃ，１９ｄ側を上下方向に回動して昇降する構成となっている。
【００１８】
トラバース１５は、中間シャーシ１９の前方にフローティングゴム２０ａ，２０ｂを介して、左右それぞれ１ヶ所固定されており、その後部はフローティングゴム２０ｃ，２０ｄを介してメカシャーシ１２に固定されている。この構成により、スライドカム１６，１８のスライドによる中間シャーシ１９の上下方向の回動動作に伴い、トラバース１５はフローティングゴム２０ｄ，２０ｃ側を中心とする回動動作を行い、それに伴ってターンテーブル１３部分が昇降動作を行えるようになっている。
【００１９】
２１はディスクを保持するクランパであり、ターンテーブル１３と対向する上部において、ディスク１００（２００）をターンテーブル１３にクランプするように設けられている。ターンテーブル１３にはマグネットが設けられており、クランパ２１に設けられた鉄製のヨーク２１ａにより、クランパ２１がターンテーブル１３に磁力により引っ張られてディスク１００（２００）を挟み込むように構成されている。このクランパ２１は、筐体１内にトラバース１５の上部を覆うように配置された上側シャーシとなるアッパーベース２２に形成された開口部２２ａより、ターンテーブル１３に対向して装着／離脱されるように設けられており、アッパーベース２２上に設けられた左右のクランパリフタ２３ａ，２３ｂの移動によりその装着／離脱が行われるようになっている。
【００２０】
アッパーベース２２には、その下面側に、ディスクのセンタリングを行うセンタリング部材２４と、ディスクの搬送を検出しトラバース１５の昇降動作へ切り換えるためのトリガレバー２５とが、摺動・回動自在に設けられている。また、挿入されたディスクをターンテーブル１３とクランパ２１の間に高さを安定して保持するためのガイドレバー２６が、回動自在に保持されている。ここで、アッパーベース２２はメカシャーシ１２に固定され、メカシャーシ１２は両筐体１，２に挟み込まれて固定される構成となっている。
【００２１】
また、図２において、２７ａはディスク挿入用開口部１ａにディスクを挿入した際にこれを検出する検出スイッチ、２７ｂはディスクの排出時にローディング終了を検出する検出スイッチ、２７ｃはディスクを再生可能な位置に搬送した際に検出する検出スイッチであり、ローラアーム７ｂと対向する位置の基板２７上に設けられている（図３参照）。２８ａと２８ｂはローラベース５に回動自在に設けられたリンクアームであり、この両者によりローラアーム７ａ、７ｂは同期して回動するようにローラベース５に設けられている。２９はローラアーム７ｂに設けられたディスク検出レバーであり、検出スイッチ２７ａを作動させるものである。
【００２２】
次に、図３について説明する。この図３は、図２に示す全体構成の中で、筐体１，２、ローラアーム７ａ，７ｂを含むローラベース５部分及びアッパーベース２２とその構成部分を除いた各構成部品を、メカシャーシ１２に取り付けた状態の上面図を示す。
【００２３】
図３に示すように、ターンテーブル１３と光ピックアップ１４は、トラバース１５上でディスク装置のほぼ中央に配置され、トラバース１５のターンテーブル１３側を載置するように中間シャーシ１９が配置されている。この中間シャーシ１９の右側にスライドカム１６、左側にスライドカム１８を、メカシャーシ１２の両側において、ディスクの搬送方向と同じ前後方向（矢印イ及びロ方向）にスライド自在に配置している。初期状態では、メカシャーシ１２との間に張設されたバネ１６ｊにより、スライドカム１６は矢印イ方向、スライドカム１８はリンクアーム１７を介して矢印ロ方向に付勢されている。中間シャーシ１９は、そのスライドカム１６，１８に形成した昇降カム１６ａ，１８ａに左右のピン１９ｃ，１９ｄを係合し、左右のピン１９ａ，１９ｂをメカシャーシ１２に形成した軸受部１２ａ，１２ｂに回動自在に保持している。この構成により、スライドカム１６，１８をスライドすることによって、中間シャーシ１９を、ピン１９ａ，１９ｂを中心としてピン１９ｃ，１９ｄ側を上下方向に回動して昇降する構成となっている。
【００２４】
ここで、スライドカム１６，１８のスライドは、後述するディスクの挿入によりその搬送力でトリガレバー２５が回動し、スライドカム１６が矢印ロ方向に若干スライドさせられることによってラック３０がピニオン１０ｇに噛み合うことにより、モータ９の駆動力をウォームギア９ａ及びギア１０ｅ−１０ｄ−１０ｆを介し、そのギア１０ｆと同軸のピニオン１０ｇを回転し、行うことができるようになっている。このピニオン１０ｇの回転により、噛み合うラック３０を介して、スライドカム１６が矢印ロ方向に更にスライドし、このスライドに伴って、リンクアーム１７を介してスライドカム１８を矢印イ方向に移動させる構成となっている。
【００２５】
すなわち、モータ９の駆動によって、ディスクを搬送し、ディスクが再生可能な位置まで搬送されると、トリガレバー２５の作用とモータ９の駆動力の伝達切換によって、スライドカム１６，１８をスライドさせ、中間シャーシ１９及びトラバース１５を昇降させ、ターンテーブル１３上にディスクを装着し、クランパ２１がターンテーブル１３に磁力により引っ張られてディスクを挟み込んで保持することにより、再生可能状態とすることができる。
【００２６】
また、図３に示すように、装置本体の正面にディスク挿入用開口部１ａに対応するメカシャーシ１２の空間３１には、メカシャーシ１２に形成した軸３２に回動自在に保持されたディスク挿入阻止部材３３を配置構成している。このディスク挿入阻止部材３３は、先端にディスクの挿入を阻止する阻止片３３ａを有し、他方をメカシャーシ１２に形成した軸３２に保持した回動中心３３ｂとして回動可能であり、その回動によりに阻止片３３ａを昇降可能に構成している。
【００２７】
次に、ディスクを挿入して再生可能な位置まで搬送するスロットイン方式の搬送装置部分の構成について説明する。図４〜図６は、ディスクの搬送状態を示すため、両筐体１，２と、上ガイド４を含むアッパーベース２２を除いた状態の図である。
【００２８】
図４は、大径ディスク１００をディスク挿入口に挿入した直後の状態であり、この時ディスク１００は右側の一対のゴムローラ６ａ，６ｂ及び左側の一対のゴムローラ６ｃ，６ｄに当接しており、ローラアーム７ｂに設けられたディスク検出レバー２９がディスク１００によって回動することにより、検出スイッチ２７ａを作動させることによってディスク１００の挿入が検出された状態である。この状態で、検出スイッチ２７ａの作動によりモータ９が動作を開始し、ギア列１０とギア列８を介して、ゴムローラ６ａ，６ｂを駆動することになるが、この駆動ローラとしてのゴムローラ６ａ，６ｂが矢印ハ方向に回動することにより、そのゴムローラ６ｂの回転駆動力及び摩擦力と、もう一方の回動しないゴムローラ６ｃ，６ｄのうち一つのゴムローラ６ｄの摩擦力とによって、ゴムローラ６ｄを回動中心として、ディスク１００は矢印ニ方向に回動することとなる。
【００２９】
ゴムローラ６ｂの回転駆動力により、ゴムローラ６ｄを中心に回動することによりディスク１００は矢印イ方向に搬送され、この移動によりゴムローラ６ｂと６ｄ間はディスク１００によって押し広げられるので、一対のローラアーム７ａ，７ｂは矢印ホ方向及び矢印ヘ方向、すなわち開く方向に回動する。このように、ローラアーム７ａ，７ｂが開くことにより、ゴムローラ６ａ，６ｃは、一旦、ディスク１００の周縁から離れるが、図５に示す状態で共に当接する状態となる。
【００３０】
図５はゴムローラ６ａ，６ｂ，６ｃ及び６ｄの全てがディスク１００と当接した状態であり、図４の挿入した直後のディスク位置１００Ａから、再生可能なディスク位置１００Ｃ（図６）まで搬送される過程で、この図５に示すディスク位置１００Ｂは、ディスク１００の回転駆動がゴムローラ６ｂと６ｄによる駆動からゴムローラ６ａと６ｃによる駆動に切り換えられる位置である。この位置からディスク位置１００Ｃまでは、ゴムローラ６ａの回転駆動力で、ゴムローラ６ｃの位置を中心として、ディスク１００は矢印ニ方向に回動しながら更に矢印イ方向搬送されることになる。
【００３１】
このディスク１００の搬送においては、図２で示したガイドレバー２６によりその厚み方向が保持されながら搬送され、センタリング部材２４によって左右方向の位置が決定されながら搬送される。そして、ディスク１００が図６に示す位置、すなわちターンテーブル１３に対向するディスク再生可能な位置まで搬送されると、トリガレバー２５によってディスク１００の搬送完了位置、すなわち前述のディスク位置１００Ｃが検出される。この図６に示すディスク位置１００Ｃにおいて、トリガレバー２５の作用により、モータ９による駆動力の伝達が、ディスク１００の搬送駆動からスライドカム１６，１８の駆動に切り換えられ、ディスク装着のクランプ動作が行われるが、そのトリガレバー２５による切換の状態を示すのが図７及び図８である。
【００３２】
図７は、搬送されたディスク１００がトリガレバー２５の検出部２５ａに当接して、回動軸２５ｃを中心に回動し、押圧部２５ｂがスライドカム１６の係合部１６ｃに当接した瞬間の状態である。前述したディスク１００の搬送は、図７の状態になる前に、ディスク１００はガイドレバー２６の位置決め用ガイド２６ｂによりその厚み方向が保持され、センタリング部材２４のセンタリング位置決め当接部２４ａ，２４ｂによって左右方向の位置が決定されながら搬送され、ディスク１００の搬送軌跡位置に配置されたトリガレバー２５の検出部２５ａに当接することにより搬送が検出され、当該トリガレバー２５が回動軸２５ｃを中心に回動し、押圧部２５ｂがスライドカム１６の係合部１６ｃに当接した状態が図７である。そして、ディスク１００が、更に、若干搬送され、前述した図６の再生可能なディスク位置１００Ｃに達すると、図８に示す状態の位置となる。
【００３３】
ここで、トリガレバー２５は、回動軸２５ｃを中心に図７に示す状態から図８に示す状態まで回動している。このトリガレバー２５の矢印ヌ方向への回動時に、押圧部２５ｂによりスライドカム１６を矢印ロ方向に、若干スライドさせる構成となっている。そして、この若干スライドすることにより、このスライドカム１６に設けたラック３０が、モータ９の回転力が伝達されているピニオン１０ｇと噛み合いを開始し、この噛み合いにより、この後、スライドカム１６はモータの９駆動力により直接駆動される。
【００３４】
この図８に示す状態から、モータ９の駆動力により、ピニオン１０ｇとラック３０を介して、スライドカム１６を矢印ロ方向に更にスライドし、このスライドに伴って、リンクアーム１７を介してスライドカム１８は矢印イ方向に移動させる。この駆動により、前述したように、ディスク１００のターンテーブル１３上へのクランプ動作が行われる。
【００３５】
ここで、ディスクの搬送動作からクランプ動作への切換の過程で、図６に示すように、ディスク１００をゴムローラ６ａと６ｃによって挟持している状態は、スライドカム１６，１８の移動に連動して切り離され、クランプ動作に支障が無いようになっている。
【００３６】
そして、図２及び図３で説明したように、スライドカム１６，１８がスライドすることにより、中間シャーシ１９を上下方向に回動し、トラバース１５の回動動作を行い、それに伴ってターンテーブル１３部分を上昇動作すると共に、クランパ２１によりディスク１００をターンテーブル１３上にクランプことにより、ディスク１００を再生可能な状態とすることができる構成となっている。
【００３７】
次に、ディスク１００の排出時について説明する。再生可能な状態にあるディスク１００のクランプ状態の解除、トラバース１５の下降動作を行い、再度ゴムローラ６ａと６ｃによって挟持することにより、ディスク１００を排出可能な図６の状態とすることができる。そして、ゴムローラ６ａと６ｂには、モータ９により挿入搬送時とは逆の駆動力が伝達され、図４〜図６に示す矢印ハ方向とは逆方向の駆動力により、ゴムローラ６ａと６ｃによる駆動で排出の搬送を開始する。ディスク１００を図４〜図６に示す矢印ニ方向とは逆方向に回動させながら搬送することになる。ディスク位置１００Ｃから図５に示すディスク位置１００Ｂまでは、ゴムローラ６ａの回転駆動力で、ゴムローラ６ｃの位置を中心として、ディスク１００を矢印ニ方向とは逆方向に回動しながら搬送し、ゴムローラ６ａ，６ｂ，６ｃ及び６ｄの全てがディスク１００と当接した状態となる。この図５から図４の状態までは同様にゴムローラ６ｂと６ｄによる駆動で搬送し、図４に示す状態となる。そして、図４は搬出時にディスク１００が、ユーザの手指によって取り出しが可能な状態であり、この状態で、ゴムローラ６ａ〜６ｄによる挟持及び摩擦力と、防塵カバー３の弾性による摩擦力で飛び出すことなく保持されるようになっている。
【００３８】
ここで、ローラアーム７ａ及び７ｂについて、図９及び図１０に基づき説明する。ローラアーム７ａ及び７ｂは、ローラベース５に対し、回動軸７ａ−１及び７ｂ−１を中心に、リンクアーム２８ａ及び２８ｂにより同期して回動するように設けられており、前述した図４〜図６に示したディスク１００に対するゴムローラ６ａ〜６ｄの当接が可能なように構成されている。このため、ローラアーム７ａ及び７ｂは、前述したディスク１００による拡開する矢印ホ方向及び矢印ヘ方向と逆の方向、すなわち矢印ト方向及び矢印チ方向に付勢するためのねじりコイルバネ７ａ−２及び７ｂ−２を設けている。この付勢力によって、ゴムローラ６ａ，６ｂと６ｃ，６ｄとによりディスク１００を挟み込み、常に当接しながら搬送できるように構成されている。
【００３９】
次に、前述したディスクの挿入を行うディスク挿入口の構成について、図１１（ａ）（ｂ）及び図１２に基づいて説明する。
【００４０】
まず、図１１（ａ）図は、ディスク挿入口に挿入されるディスクの上側をガイドする上ガイド４を示すものであり、全体としては中央部を上方向とする緩やかな弓形に湾曲した形状としたガイド面を構成しており、その中央部に、前述したディスク挿入阻止部材３３の先端に形成した阻止片３３ａが挿入される貫通孔４ａを形成している。また（ｂ）図は、挿入されるディスクの下側をガイドするローラベース５を示すものであり、前述した挿入口のガイド部５ａの他、挿入後のディスク１００（２００）の前面縁部の下面をガイドする下面ガイド部５ｂと、前述した一対のローラアーム７ａ，７ｂに支持されたゴムローラ６ａ〜６ｄ及びディスク検出レバー２９を、ディスク挿入・搬送面上に配置するための、貫通孔ガイド５ｃ〜５ｅ及び切欠ガイド５ｆ，５ｇを形成すると共に、前述したディスク挿入阻止部材３３の先端に形成した阻止片３３ａが貫通される貫通孔５ｈを形成している。ここで、ガイド部５ａは、挿入されるディスク１００（２００）の記録面が接触して傷付くのを防止するため、挿入されるディスク平面に対して、中央部が最も低く、両側が高くなるように、緩やかな弓形に湾曲した形状に構成している。これにより、挿入されるディスク１００（２００）は、その両端縁の下側部分が接触しながら挿入されることとなる。
【００４１】
次に、図１２（ａ）（ｂ）は、第１の筐体１、第２の筐体２及び防塵カバー３を取り除いた状態を示すものであり、上ガイド４と、ローラベース５に形成したガイド部５ａとによって、ディスク挿入口３００を構成している。
【００４２】
図１２（ａ）図は、ディスクを挿入していない状態を示す正面図であり、同図より明らかなように、ディスクを挿入する挿入口３００を構成する上ガイド４とローラベース５のガイド部５ａは、それぞれ上下方向に緩やかな弓形に湾曲した形状としたガイド面を構成し、その両者間のほぼ中央部を、挿入されるディスクの搬送中心としている。そして、この搬送中心の同一平面上に、前述した、ゴムローラ６ａ〜６ｄのディスク当接部分が位置し、ディスク検出レバー２９が臨み、挿入されたディスクの厚み方向を規制するディスク規制部材４１，４２が臨んでおり、この上ガイド４とローラベース５のガイド部５ａにガイドしてディスクを挿入することができる。なお、この図１２（ａ）図に示す状態では、ターンテーブル１３の頂部は、ディスクの挿入に支障がない、下方に位置している。
【００４３】
図１２（ｂ）図は、ディスク１００を挿入した状態を示す正面図であり、ディスク１００が前述した搬送手段により挿入され、ターンテーブル１３上に装着されることにより、前述したディスク挿入阻止部材３３の先端に形成した阻止片３３ａが、ローラベース５に形成された前述の貫通孔５ｈを通してディスクの挿入口３００に突出し、更なるディスクの挿入を阻止することができる構成となっている。この図１２（ｂ）図の状態では、ターンテープ１３は、図１２（ａ）図の状態から上昇しており、その上昇動作は前述したスライドカム１６，１８のスライドにより行われ、このような、ディスク１００の挿入に基づく搬送動作と、それに続く上昇動作に連動して、図１２（ａ）図から（ｂ）図へのディスク挿入阻止部材３３の状態変化は行われるものであり、そのタイミング及びその作用については後述する。
【００４４】
ここで、図１３〜図１６に基づいて、ディスク１００の挿入に基づく搬送動作に続く前述したターンテーブル１３の昇降動作について説明する。
【００４５】
図１３及び図１４は、ターンテーブル１３が下降した状態にあり、ディスクが挿入されていない待機状態である。この状態では、スライドカム１６はバネ１６ｊにより、矢印イ方向に付勢されている。一方、リンクアーム１７に連結されたスライドカム１８は、軸１７ａを中心に回動自在なこのリンクアーム１７の作用により、同じバネ１６ｊにより、逆の矢印ロ方向に付勢されている。この状態では、ターンテーブル１３が下降した状態にあるため、ディスクが挿入可能となっており、前述した図１２（ａ）の正面図に示す状態となっている。図１４において、スライドカム１８に形成した突出部１８ｂは、ディスクを再生可能な位置にスライドした際に検出する検出スイッチ２７ｃに当接するものである。また、この図１３及び図１４の状態は、前述したようにディスク１００が挿入され、再生可能に位置に搬送され、トリガレバー２５の作用により、スライドカム１６が押圧されてラック３０がピニオン１０ｇに噛み合ってスライドを開始するまで継続される。
【００４６】
そして、モータ９の駆動力が、ピニオン１０ｇからラック３０を介してスライドカム１６に伝達されることにより、スライドカム１６をスライドし、スライドカム１６の昇降カム１６ａ及びスライドカム１８の昇降カム１８ａ、中間シャーシ１９の左右ピン１９ｃ，１９ｄを介して、中間シャーシ１９を上昇させてターンテーブル１３を上昇させ、前述した作用により、ディスクの装着完了状態となる。その上昇完了状態を示すのが、図１５及び図１６である。
【００４７】
図１５及び図１６は、前述した図６のディスク搬送位置における装着の完了状態であり、スライドカム１６，１８は、スライドカム１８に形成した突出部１８ｂが検出スイッチ２７ｃに当接することにより、当該位置を検出してモータ９によるラック３０の駆動を停止し、その噛み合いのまま保持された状態である。この状態は、装着されたディスクの排出が指示され、モータ９が逆転駆動を開始して、ラック３０に装着時とは逆方向の駆動力が伝達されるまで維持される。
【００４８】
図１７及び図１８は、スライドカム１６，１８及びリンクアーム１７を下面側から見た図を示すものである。この図に示すように、リンクアーム１７の両端に形成した係合ピン１７ｂ，１７ｃをそれぞれスライドカム１６，１８に形成した係合凹部１６ｎ，１８ｄに係合することにより、両者を連結して連動して動作するようにしている。この係合凹部１６ｎ，１８ｄは、リンクアーム１７の軸１７ａを中心とする回動に伴う相対距離に対応するため、スライド方向に対して直角方向に長くなるように形成された溝形状となっている。この構成により、スライドカム１６，１８は、リンクアーム１７により、連動して相互に逆方向にスライドできるようになっている。
【００４９】
また、図１７及び図１８に示すように、スライドカム１６は、裏面側において、そのスライドに連動して、クラッチプレート１１を回動動作させるためのカム１６ｐを形成している。このカム１６ｐは、スライドカム１６のスライド方向に対して直角方向に形成された第１のカム部１６ｐ−１と、これに連続して形成され、スライドカム１６のスライド方向に形成された第２のカム部１６ｐ−２を形成している。
【００５０】
次に、クラッチプレート１１について、図１９に基づいて説明する。クラッチプレート１１は、メカシャーシ１２に形成された軸に回動自在に支持するための軸受け部１１ａと、スライドカム１６に形成したカム１６ｐに係合する係合ピン１１ｂと、ギア１０ｃを回動自在に支持する軸１１ｃと、ディスク挿入阻止部材３３を昇降させるカム１１ｄを構成している。このクラッチプレート１１は、軸受け部１１ａがモータ９の駆動力を伝達するギア１０ｄの回動軸と同軸上に構成され、軸１１ｃに支持するギア１０ｃを搭載状態で回動可能である。また、カム１１ｄは、下面カム部１１ｄ−１と、傾斜カム部１１ｂ−２と、上面カム部１１ｂ−３を有している。
【００５１】
このクラッチプレート１１の回動は、係合ピン１１ｂが、スライドカム１６のカム１６ｐに係合することにより行われる。クラッチプレート１１は、図１８に示す状態で、スライドカム１６が矢印ロ方向にスライドされることにより、係合ピン１１ｂが第１のカム部１６ｐ−１に当接すると、クラッチプレート１１は軸受け部１１ａを中心に矢印ワ方向に回動する。そして、スライドカム１６が矢印ロ方向に更にスライドされ、係合ピン１１ｂが第１のカム部１６ｐ−１から第２のカム部１６ｐ−２に移行し、この時点でクラッチプレート１１の回動は停止される。この係合ピン１１ｂが第２のカム部１６ｐ−２にガイドされて、スライドカム１６は矢印ロ方向に更にスライドされ、前述した再生可能な位置でディスクの装着が完了した時点で、スライドカム１６のスライドが停止された状態が図２９である。この状態で、係合ピン１１ｂは第２のカム部１６ｐ−２に保持され、クラッチプレート１１は回動が規制された状態となっている。
【００５２】
次に、図２０に基づいて、クラッチプレート１１とディスク挿入阻止部材３３との関係について説明する。ここで、ディスク挿入阻止部材３３は、前述した図３及び図１０で説明したように、ディスク装置における、ディスクの挿入口３００付近に配置されている。そして、先端にディスクの挿入を阻止する阻止片３３ａを有し、他方を回動中心３３ｂとして、回動可能に構成され、前述した図１９に示すクラッチプレート１１のカム１１ｄ係合する係合ピン３３ｃを設けている。クラッチプレート１１のカム１１ｄは、前述した図１９に示すように、ディスク挿入阻止部材３３を昇降させる構成であり、下面カム部１１ｄ−１と、傾斜カム部１１ｂ−２と、上面カム部１１ｂ−３を有している。
【００５３】
この構成により、ディスク挿入阻止部材３３の阻止片３３ａは、ディスク１００（２００）がターンテーブル１３上に装着されていない挿入可能な状態では、図２０（ａ）に示す下降した状態で、前述した図１２（ａ）に示すように挿入口３００に突出していない状態にある。そして、前述したように、ディスク１００（２００）を挿入して搬送手段による搬送が完了し、スライドカム１６が図２０（ａ）に示す状態から矢印ロ方向にスライドして、クラッチプレート１１を矢印ワ方向に回動する。この回動により、ディスク挿入阻止部材３３は、その係合ピン３３ｃが係合するラッチプレート１１のカム１１ｄにより、下面カム部１１ｄ−１から傾斜カム部１１ｂ−２を介して上面カム部１１ｂ−３にガイドされることとなる。この過程で、ディスク挿入阻止部材３３は、回動中心３３ｂにより矢印タ方向に回動して、図２０（ｂ）に示す状態となる。
【００５４】
ここで、図２０（ｂ）に示す状態は、係合ピン３３ｃが上面カム部１１ｂ−３上に保持され、前述した図１２（ｂ）の状態で、阻止片３３ａが挿入口３００に突出している状態にある。この状態では、ディスク１００（２００）がターンテーブル１３上に装着されているため、他のディスク１００（２００）が挿入できないように、阻止片３３ａによって、ディスク１００（２００）の挿入を阻止することができる状態となっている。
【００５５】
このディスク挿入阻止部材３３の図２０（ａ）から図２０（ｂ）に示す状態への状態変化のタイミングは、前述したスライドカム１６に対するクラッチプレート１１の回動に影響される。次に、その作用について、図２１〜図２３に基づき、クラッチプレート１１により、モータ９の駆動力をディスク搬送から、スライドカム１６のスライドによりディスク装着のための昇降動作に切り換える動作について説明する。ここで、クラッチプレート１１は、スライドカム１６のスライドに連動して、モータ９の駆動力の伝達をディスクの搬送動作からディスクの昇降動作への切換を行う役割を有している。
【００５６】
図２１の状態は、モータ９の駆動力をウォームギア９ａ及びギア１０ｅ−１０ｄ−１０ｃ−１０ｂのギア列１０を介し、ギア１０ａに伝達可能となっており、この時、ギア１０ｆはギア１０ｄの下側歯車と噛み合って同時に回転可能であるが、ギア１０ｆと同軸のピニオン１０ｇはラック３０と噛み合っていない状態である。この状態では、駆動源のモータ９を駆動することにより、その駆動力が、ローラアーム７ａに設けたギア８ａ〜８ｃよりなるギア列８に伝達され、ローラギア６ｅ，６ｆを介してゴムローラ６ａ，６ｂを回転駆動可能な状態である。従って、この状態で、ディスクを挿入してこれを検出し、モータ９を駆動することにより、その駆動力は、ゴムローラ６ａ，６ｂに伝達されてディスク搬送力として働くこととなる。この状態で、前述したディスク１００（２００）の挿入により搬送を行うことができ、そのディスク１００（２００）が再生可能な位置まで矢印イ方向に搬送されることにより、前述したように、トリガレバー２５により、スライドカム１６を矢印ロ方向にスライドする。そして、ラック３０が回転しているピニオン１０ｇと噛み合うことにより、ラック３０と噛み合ってスライドカム１６は矢印ロ方向に更にスライドされることとなる。このスライドカム１６のスライドにより、クラッチプレート１１は、図１７及び図２０で説明したように矢印ワ方向に回動する。この回動によって、クラッチプレート１１上に設けられたギア１０ｃも同時に矢印ワ方向に移動するので、メカシャーシ１２上に設けられたギア１０ｂとの噛み合いが切り離され、この切り離された状態が、図２２の状態である。
【００５７】
図２２の状態では、ディスク１００（２００）の搬送を完了した状態で、ギア１０ｂと噛み合うギア１０ａへの伝達が切り離され、ゴムローラ６ａ，６ｂへの駆動力の伝達は切り離されている。そして、モータ９の駆動力は、ギア１０ｄからギア１０ｆのみへの伝達となり、スライドカム１６の駆動、すなわちディスク装着動作の駆動を行うこととなる。この状態で、スライドカム１６が更にスライドされることにより、クラッチプレート１１は、係合ピン１１ｂがカム１６ｐの第２のカム部１６ｐ−２との係合に移行し、それ以上の回動はなく、かつ当該クラッチプレート１１の回動状態は保持されることとなる。この係合ピン１１ｂが第２のカム部１６ｐ−２と係合する状態では、スライドカム１６の矢印ロ方向への更なる移動を許容し、その後、前述した図１８の状態でスライドカム１６のスライドが停止される。この第１のカム部１６ｐ−１から第２のカム部１６ｐ−２によるクラッチプレート１１の回動の過程で、ディスク装着動作を行う。そして、図２３のディスク装着完了状態となる。
【００５８】
図２３の状態は、図２０（ｂ）と同じ状態であり、モータ９によるラック３０の駆動を停止し、その噛み合いのまま保持された状態である。この状態は、ターンテーブル１３上に装着されたディスクの排出が指示され、モータ９が逆転駆動を開始して、ラック３０に装着時とは逆方向の駆動力が伝達されるまで維持される。また、この図２１におけるクラッチプレート１１の状態は、図２２の状態と比較してクラッチプレート１１が若干矢印ワ方向に回動した状態となっている。
【００５９】
次に、前述したディスク挿入阻止部材３３の詳細な構成について、図２４（ａ）（ｂ）に基づいて説明する。同図において、ディスク挿入阻止部材３３は、図における上面側においてやや阻止片３３ａ側寄りに弾性片３３ｄを形成し、当該弾性片３３ｄの先端を突出形成して当接部３３ｅとしており、図における下面側をシャーシ１２内面に沿う平面部３３ｆとしている。一方、ディスク挿入阻止部材３３の下面平面部３３ｆが対向するシャーシ１２の位置には、Ｕ字状の切欠１２ｃによって弾性片１２ｄが形成され、その先端を突出形成して当接部１２ｅとしている。同図には、また、前述したディスク挿入阻止部材３３の係合ピン３３ｃと、クラッチプレート１１のカム１１ｄとの関係を示している。ここで、弾性片１２ｄが形成されたシャーシ１２及び弾性片３３ｄが形成されたディスク挿入阻止部材３３は、弾性変形可能な合成樹脂成形材により構成されている。
【００６０】
図２４（ａ）図は、ディスク挿入阻止部材３３がディスクの挿入口３００に突出していない状態の断面図であり、図１２（ａ）図及び図２０（ａ）図の状態である。この図の状態は、先端に構成した阻止片３３ａが、ローラベース５の下面ガイド部５ｂよりも下部の位置に後退した状態に保持された状態となっている。この状態の保持は、ディスク挿入阻止部材３３の係合ピン３３ｃが、クラッチプレート１１のカム１１ｄの下面カム部１１ｄ−１により、回動中心３３ｂを中心として阻止片３３ａ側がシャーシ１２の内面側に付勢されることにより行われる。この状態では、ディスク挿入阻止部材３３は、下面平面部３３ｆの先端部分がシャーシ１２の弾性片１２ｄの当接部１２ｅに当接しており、その弾性片１２ｄの弾性力により弾性的に保持されている。この図の状態は、前述したように、ディスクが挿入されていない状態から、ディスク挿入後に再生可能な位置まで搬送され、ディスク装着動作の過程でスライドカム１６の移動に連動してクラッチプレート１１が回動するまで維持されることとなる。
【００６１】
次に、図２４（ｂ）図は、ディスク挿入阻止部材３３がディスクの挿入口３００に突出した状態の断面図であり、図１２（ｂ）図及び図２０（ｂ）図の状態である。この図の状態は、先端に構成した阻止片３３ａが、ローラベース５に形成された貫通孔５ｈを通してディスクの挿入口３００に突出する位置に保持された状態となっている。この状態への変化は、図２４（ａ）図から、前述した作用により、クラッチプレート１１が回動することにより、係合ピン３３ｃがカム１１ｄの下面カム部１１ｄ−１に対応する状態から、傾斜カム部１１ｂ−２を経て上面カム部１１ｂ−３に乗り上げ、阻止片３３ａが上昇することによって行われる。そして、この状態の保持は、ディスク挿入阻止部材３３の係合ピン３３ｃが、上面カム部１１ｄ−３に位置することにより、回動中心３３ｂを中心としてローラベース５の下面側に回動付勢されることにより行われる。この状態では、ディスク挿入阻止部材３３は、弾性片３３ｄの先端の当接部３３ｅが、ローラベース５の下面ガイド部５ｂの壁面下側に当接しており、その弾性片３３ｄの弾性力により弾性的に保持されている。また、この状態では、阻止片３３ａが上ガイド４に形成した貫通孔４ａに挿入された状態となっており、阻止片３３ａは貫通孔５ｈと貫通孔４ａとによって、ディスク挿入方向（矢印イ方向）への外部負荷に対して、挿入口３００の開口における上下において規制され、ディスク挿入阻止部材３３の変形を防止しうる構成となっている。つまり、貫通孔４ａ，５ｈは、阻止片３３ａの規制部となっていると共に、軸３２に支持された回動中心３３ｂとによってディスク挿入阻止部材３３自体の変形の防止も行う構成となっている。
【００６２】
また、図２４（ａ）（ｂ）及び図２５図において、ディスク挿入阻止部材３３の側部には、当該ディスク挿入阻止部材３３が、ディスクの挿入方向に揺動・変形するのを防止する変形防止部材としてのガイド部１２ｆ，１２ｇ，１２ｈをシャーシ１２に一体に形成している。ガイド部１２ｆは、阻止片３３ａの内側部に設けられ、当該阻止片３３ａが上下移動する場合のガイドとして作用すると共に、特に、ディスク挿入方向における阻止片３３ａの下流側（内側）への変形を防止するようにしている。また、ガイド部１２ｇ，１２ｈは、ディスク挿入阻止部材３３の弾性片３３ｄを形成した本体部分の両側に設けられ、ディスク挿入阻止部材３３が上下移動する場合のガイドとして作用し、当該ディスク挿入阻止部材３３が昇降移動する際の揺動・変形を防止し、安定に昇降することができるようにしている。
【００６３】
本実施の形態のディスク搬送装置は、以上説明したように、ディスクを装置本体正面の挿入口に挿入してディスクを搬入するようにしたスロットイン方式のディスク搬送装置であって、挿入されたディスクを保持しながら搬送するディスク搬送手段と、前記ディスクが再生可能な位置に搬送されたことを検出するトリガ部材と、前記トリガ部材がディスクを検出することにより当該トリガ部材の作用により移動開始するスライドカム部材と、前記スライドカム部材の移動に連動して前記ディスクを再生可能なクランプ状態とするためのクランプ機構と、前記クランプ状態にある場合はディスク挿入口に突出し、ディスクが挿入されていない場合は後退した位置に昇降可能に構成された阻止片を有するディスク挿入阻止部材と、前記スライドカム部材の移動に連動して前記ディスク挿入阻止部材をディスク挿入口への突出位置と後退位置とにおいてそれぞれ保持可能な手段を有する切換機構を備え、前記阻止部材は、前記切換機構の姿勢保持手段との連係により突出位置及び後退位置のそれぞれの状態において、装置本体への相反する方向に対して弾性的に当接可能とする弾性手段を構成したものであり、ディスクを直接挿入してローラで保持しながら搬入するようにしたスロットイン方式において、ディスクの重複挿入の防止を、ディスクを再生可能な位置に搬送されたことを検出することにより行うディスクのクランプ動作に連動して、ディスク挿入阻止部材の昇降切換を行うので、ディスクが装着された場合の重複挿入の阻止を確実に行い得るものであり、そのディスク挿入阻止部材の突出位置と後退位置の昇降位置は切換機構により保持され、かつその状態は弾性的に保持されるため、高速駆動に対しても振動音が発生することなく保持できるという作用を有する。
【００６４】
また、本実施の形態のディスク搬送装置は、前記ディスク阻止部材に対する弾性手段は、当該ディスク阻止部材自体又はシャーシに一体成形により形成された弾性片により構成したものであり、振動音を発生させない構造を簡単に構成することができるという作用を有する。
【００６５】
また、本実施の形態のディスク搬送装置は、前記ディスク挿入口の下部及び上部には、当該挿入口に突出する前記ディスク阻止部材の阻止片が対応する位置に、当該ディスク阻止部材の変形防止用規制部を構成したものであり、阻止片に対してディスクの挿入等による外部負荷が加えられたとしても確実に阻止できるという作用を有する。
【００６６】
また、本実施の形態のディスク搬送装置は、前記切換機構は、前記ディスク挿入阻止部材の突出位置と後退位置の姿勢保持手段としてカム部を形成したものであり、その状態保持を確実に行い得るという作用を有する。
【００６７】
また、本実施の形態のディスク搬送装置は、前記昇降可能なディスク阻止部材の少なくとも阻止片を形成した側部において、シャーシに一体形成されたガイド部を構成し、昇降動作時のガイドとするように構成したものであり、揺動・変形を防止し、回動可能なディスク阻止部材の回動中心と阻止片との間の寸法が多少大きくても安定に昇降することができるため、阻止片の昇降寸法を大きくとることもできるという作用を有する。
【産業上の利用可能性】
【００６８】
本発明のディスク装置は、ディスクの周縁部をガイドするローラによって両サイドを保持し搬入するようにしたスロットイン方式のディスク搬送装置として、特に、ＣＤやＤＶＤ，ＢＤ等のディスク状の記録媒体を、トレイを用いずに装置内にローディングするスロットインローディング機構を備えるディスク装置に有用である。
【符号の説明】
【００６９】
１    第１の筐体
２    第２の筐体
３    防塵カバー
４    上ガイド
４ａ    貫通孔
５    ローラベース
５ｂ    下面ガイド部
５ｈ    貫通孔
６ａ〜６ｄ    ゴムローラ
６ｅ、６ｆ    ローラギヤ
７ａ、７ｂ    ローラアーム
８ａ〜８ｃ    伝達ギヤ
９    モータ
１０ａ〜１０ｆ    伝達ギヤ
１１    クラッチプレート（切換機構）
１１ｄ    カム
１１ｄ−１    下面カム部
１１ｄ−２    傾斜カム部
１１ｄ−３    上面カム部
１２    メカシャーシ
１２ｃ    Ｕ字状の切欠
１２ｄ    弾性片
１２ｅ    当接部
１２ｆ，１２ｇ，１２ｈ    ガイド部
１３    ターンテーブル
１５    トラバース
１６、１８    スライドカム
１７    リンクアーム
２１    クランパ
２４    センタリング部材
２５    トリガレバー
２６    ガイドレバー
３２    軸
３３    ディスク挿入阻止部材
３３ａ    阻止片
３３ｂ    回動中心
３３ｃ    係合ピン
３３ｄ    弾性片
３３ｅ    当接部
３００    ディスク挿入口
【図１】
2012014764.tif 000003
【図３】
2012014764.tif 000004
【図４】
2012014764.tif 000005
【図５】
2012014764.tif 000006
【図６】
2012014764.tif 000007
【図７】
2012014764.tif 000008
【図８】
2012014764.tif 000009
【図９】
2012014764.tif 000010
【図１０】
2012014764.tif 000011
【図１１】
2012014764.tif 000012
【図１２】
2012014764.tif 000013
【図１３】
2012014764.tif 000014
【図１４】
2012014764.tif 000015
【図１５】
2012014764.tif 000016
【図１６】
2012014764.tif 000017
【図１７】
2012014764.tif 000018
【図１８】
2012014764.tif 000019
【図１９】
2012014764.tif 000020
【図２１】
2012014764.tif 000021
【図２２】
2012014764.tif 000022
【図２３】
2012014764.tif 000023
【図２４】
2012014764.tif 000024
【図２５】
2012014764.tif 000025
【図２】
2012014764.tif 000026
【図２０】
2012014764.tif 000027